(57)【特許請求の範囲】
【請求項１】
ショッピングカート本体の前部に配置されると共に、使用者が着座可能な座席と、
当該座席に着座した使用者の脚部を保護するフロントガードとを有する座席部と、
前記ショッピングカート本体の後部に配置された買物籠載置部と、を備え、
前記座席は、前記ショッピングカート本体に回動可能に支持され、当該回動によって前倒した座席の後部に、他のショッピングカートのフロントガードを挿入可能な空間を形成するショッピングカート。
【請求項２】
前記座席は、他のショッピングカートのフロントガードに後ろから押されて前倒可能である請求項１記載のショッピングカート。
【請求項３】
前記前倒した座席は、前記他のショッピングカートのフロントガードに支持されてその状態を維持し、当該他のショッピングカートを引き抜いた際に、元の位置に復帰する請求項１または請求項２記載のショッピングカート。
【請求項４】
前記座席に、当該座席が所定位置から後倒することを防止するストッパを設けた請求項１ないし請求項３のいずれか一項に記載のショッピングカート。
【請求項５】
前記座席の背もたれの背面に、前記他のショッピングカートのフロントガード前部の少なくとも一部が当接すると共に、前記座席の回動を誘導する凹部を形成した請求項１ないし請求項４のいずれか一項に記載のショッピングカート。
【請求項６】
ショッピングカート本体の前部に配置されると共に、使用者が着座可能な座席と、
当該座席に着座した使用者の脚部を保護するフロントガードとを有する座席部と、
前記ショッピングカート本体の後部に配置された買物籠載置部と、を備え、
前記座席は、前記ショッピングカート本体の前後方向に移動可能に支持され、前方に移動した座席の後部に、他のショッピングカートのフロントガードを挿入可能な空間を形成するショッピングカート。
【請求項７】
前記座席は、他のショッピングカートのフロントガードに後ろから押されて前方に移動可能である請求項６記載のショッピングカート。
【請求項８】
前記前方に移動した座席は、前記他のショッピングカートのフロントガードに支持されてその状態を維持し、当該他のショッピングカートを引き抜いた際に、元の位置に復帰する請求項６または請求項７記載のショッピングカート。
【請求項９】
前記フロントガードが、所望の物体を模倣した形状を備えてなる請求項１ないし請求項８のいずれか一項に記載のショッピングカート。
【請求項１０】
前記使用者の側面を保護するサイドガードをさらに配設した請求項１ないし請求項９のいずれか一項に記載のショッピングカート。
【発明の詳細な説明】
【０００１】
【発明が属する技術分野】
本発明は、例えば、百貨店、スーパーマーケット等の大型量販店等の商業施設で主に使用される子供や老人あるいは身体障害者等が着座可能な座席が設置されたショッピングカートに関する。
【０００２】
【従来の技術】
従来から、百貨店、スーパーマーケット等の大型量販店等の商業施設で主に使用されているショッピングカートとしては、種々なものが案出されている。近年では、子供連れの客のために、例えば実公昭58−16455号公報に開示されているように、走行自在の台車の後部より立設した左右側枠の上部に、買物籠の左右両側を支持する支持杆を前向に設け、この支持杆の前部下方には、買物籠の下面を支持する籠載せ枠を設け、左右側枠間に子供が後向きに腰掛ける座席を設けたショッピングカートが提供されている。
【０００３】
このような子供用の座席が設けられたショッピングカートは、子供用の座席が狭く、また、この座席のすぐ近くに買物籠が配置される構造を備えている。したがって、前記座席に座った子供にとっては、居心地が悪く、また、買物籠に収納された種々の商品からの液垂れ等により子供の洋服が汚れる等の虞がある。
【０００４】
そこで、例えば、前記座席部をショッピングカート本体の前部に設け、この座席部をゴーカートや足踏み式自動車等の乗り物、動物、その他キャラクタ等、所望の物体を模倣した形状とし、後部に買物籠を載せる載置部を配設した構成にすることが考えられる。この構成のショッピングカートは、子供の座席部分が、例えば前述した実公昭58−16455号公報に記載された構成のものに比べ、広くゆったりと形成されるため、子供の居心地が良くなると共に、遊び感覚が得られ、楽しく買い物を行うことができる。また、買物籠に収納された種々の商品からの液垂れ等により子供の洋服が汚れる虞も殆どなくなる。
【０００５】
【発明が解決しようとする課題】
前述した乗り物等を模倣した座席を備えたショッピングカートは、子供が座る座席が広くなっていることに加え、その模倣部分のため、前部が大きく構成されている。ここで、日本国内の商業施設の売場面積を考慮すると、ショッピングカートの駐車スペースを広く取ることは困難であるのが実状である。
【０００６】
しかしながら、この乗り物等を模倣した座席を備えたショッピングカートは、前述した構造から、ショッピングカートの後部に次のショッピングカートを挿入して、次々に入れ子式に重ねて駐車させる構造にすることが困難である。また、子供用の座席が固定されているため、例え入れ子式にできたとしても、重なる部分が小さく、広い駐車スペースが必要となる。このため、多数のショッピングカートを配備することは、スペースの面から困難である。
【０００７】
本発明は、このような従来の問題点を解決することを課題とするものであり、座席に着座する人が占有可能な空間を広く取ることができると共に、駐車スペースを必要最低限に抑えることが可能なショッピングカートを提供することを目的とする。
【０００８】
【課題を解決するための手段】
この目的を達成するため、本発明は、ショッピングカート本体の前部に配置されると共に、使用者が着座可能な座席と、当該座席に着座した使用者の脚部を保護するフロントガードとを有する座席部と、前記ショッピングカート本体の後部に配置された買物籠載置部と、を備え、前記座席は、前記ショッピングカート本体に回動可能に支持され、当該回動によって前倒した座席の後部に、他のショッピングカートのフロントガードを挿入可能な空間を形成するショッピングカートを提供するものである。
【０００９】
また、本発明は、ショッピングカート本体の前部に配置されると共に、使用者が着座可能な座席と、当該座席に着座した使用者の脚部を保護するフロントガードとを有する座席部と、前記ショッピングカート本体の後部に配置された買物籠載置部と、を備え、前記座席は、前記ショッピングカート本体の前後方向に移動可能に支持され、前方に移動した座席の後部に、他のショッピングカートのフロントガードを挿入可能な空間を形成するショッピングカートを提供するものである。
【００１０】
この構成を備えたショッピングカートは、ショッピングカート本体の前部に座席を配置したため、この座席に着座する人の占有する面積を従来のショッピングカートより広く取ることができる。したがって、座席に着座する人が窮屈感を覚えることが殆どなく、快適に着座することができる。
【００１１】
また、前倒した座席の後部あるいは前方に移動した座席の後部に、他のショッピングカートのフロントガードを挿入可能な空間が形成されるため、ショッピングカートの後部から、この空間に他のショッピングカートのフロントガードを挿入した状態、いわゆる「入れ子式」でショッピングカートを駐車させておくことができる。この空間は、座席が前倒しされた分が加えられるため、前後方向に長く取ることができ、両ショッピングカートの重なり部分を大きくすることができる。このため、ショッピングカートの駐車スペースを節約することができる。
【００１２】
前記フロントガードは、所望の物体を模倣した形状を備えることができる。この所望の物体とは、例えば、自動車、電車、飛行機、オートバイ、船等の乗り物や、建物、動物、アニメーションやゲームのキャラクタ等、任意に選択することができる。
【００１３】
また、前記座席は、他のショッピングカートのフロントガードに後ろから押されて前倒可能あるいは前方に移動可能に構成することができる。
【００１４】
この構成にすれば、前記作用に加え、予め所定の場所に置かれているショッピングカートの後部から、他のショッピングカートを挿入するだけで、この他のショッピングカートのフロントガードが挿入される空間を形成することができ、簡単に両ショッピングカートを入れ子式にして、駐車スペースを節約させた状態で駐車させておくことができる。
【００１５】
そしてまた、前記前倒した座席あるいは前方に移動した座席は、前記他のショッピングカートのフロントガードに支持されてその状態を維持し、当該他のショッピングカートを引き抜いた際に、元の位置に復帰するよう構成することもできる。
【００１６】
このような構成にすれば、前記作用に加え、後ろに配置されたショッピングカートを、前に配置されたショッピングカートから引き離す（引き抜く）だけで、座席を使用者が着座可能な状態に戻すことができる。
【００１７】
また、前記座席には、当該座席が所定位置から後倒することを防止するストッパを設けることもできる。
【００１８】
そしてまた、前記座席の背もたれの背面に、前記他のショッピングカートのフロントガード前部の少なくとも一部が当接すると共に、前記座席の回動を誘導する凹部を形成することもできる。
【００１９】
このうような構成にすれば、前記座席の回動をさらにスムーズに行うことができる。
【００２０】
さらにまた、本発明に係るショッピングカートは、前記使用者の側面を保護するサイドガードをさらに配設することもできる。このサイドガードは、前記フロントガードに連続的に形成されていてもよく、また、独立して設けられていてもよい。
【００２１】
【発明の実施の形態】
次に、本発明の好適な実施の形態に係るショッピングカートについて、図面を参照して説明する。
（実施の形態１）
図１は、実施の形態１に係るショッピングカートの側面図、図２は、図１に示すショッピングカートの平面図、図３は、図１に示すショッピングカートに買物籠を載置した状態を示す側面図、図４は、図１に示すショッピングカートの座席部の一部を示す分解組立部、図５は、図１に示すショッピングカートの一部を示す斜視図である。
【００２２】
なお、実施の形態１では、ショッピングカート１の進行方向を「前」、後退方向を「後」として記載する。
【００２３】
図１〜図５に示すように、実施の形態１に係るショッピングカート１は、ショッピングカート本体２と、ショッピングカート本体２の前部に配置された座席部３と、ショッピングカート本体２の後部に配置された買物籠載置部４と、を備えて構成されている。
【００２４】
ショッピングカート本体２は、ショッピングカート１の車体フレーム枠としての機能を備えており、主に座席１２（後に詳述する）を支持する２本の支持フレーム５Ａ及び５Ｂと、２本の支持フレーム５Ａ及び５Ｂの後端部から立設した垂直フレーム６Ａ及び６Ｂと、垂直フレーム６Ａ及び６Ｂの上端に連続形成されたハンドル部７と、を備えて構成されている。
【００２５】
支持フレーム５Ａ及び５Ｂは、特に図２に示すように、両者の間隔が、ショッピングカート１の前側が狭く、後側がそれより広くなるよう配置されている。支持フレーム５Ａ及び５Ｂをこのように配置することで、ショッピングカート１の前部の幅を後部の幅より狭くすることができ、後に詳述するショッピングカート１の複数駐車をスムーズに行うことができる。支持フレーム５Ａ及び５Ｂの後端には、ショッピングカート１の後輪９Ａ及び９Ｂが回転可能に配置されている。この垂直フレーム６Ａ及び６Ｂの略中央部前側には、後に詳述する座席１２のストッパ１５Ａ及び１５Ｂを各々支持する支持凸部８Ａ及び８Ｂが、それぞれ形成されている。支持フレーム５Ａ及び５Ｂの前端部には、ショッピングカート１の前輪１０Ａ及び１０Ｂが、シャフト１１を介して回転可能に配置されている。
【００２６】
また、支持フレーム５Ａ及び５Ｂには、後に詳述するが、複数駐車を行った際に、後ろから挿入されるショッピングカート１の前端であるバンパー３２が当接する車止め３１が配置されている。
【００２７】
座席部３は、使用者（例えば、子供等）が着座可能な座席１２と、使用者の脚部を保護するフロントガード１３と、フロントガード１３に連続的に形成されて使用者の側面を保護するサイドガード１４Ａ及び１４Ｂ、を備えて構成されている。
【００２８】
座席１２には、特に図４及び図５に示すように、背もたれ１２Ｃの上部両側から突出し、ショッピングカート本体２の垂直フレーム６Ａ及び６Ｂに当接するストッパ１５Ａ及び１５Ｂが形成されている。このストッパ１５Ａ及び１５Ｂは、座席１２が着座可能な位置にある時に、支持凸部８Ａ及び８Ｂに支持される位置に配置されている。座席１２の着座部１２Ｄの前端両側には、座席１２を支持フレームに回動可能に支持するための支軸としての役割を果たす凸部１６Ａ及び１６Ｂが形成されている。また、座席１２の背面には、後に詳述するが、他のショッピングカートのフロントガードの前部が当接する凹部１７が形成されている。この凹部１７は、座席１２の回動を誘導可能な形状を備えている。
【００２９】
この座席１２は、凸部１６Ａ及び１６Ｂを回動可能に貫通する開口部１８Ａが形成された支持金具１９Ａ及び１９Ｂと、開口部１８Ａ及び１８Ｂに凸部１６Ａ及び１６Ｂをそれぞれ貫通させた支持金具１９Ａ及び１９Ｂを、支持フレーム５Ａ及び５Ｂに各々取り付ける取付金具２０Ａ及び２０Ｂによって、支持フレーム５Ａ及び５Ｂに対し、凸部１６Ａ及び１６Ｂを支点として回動可能に取り付けられる。
【００３０】
また、座席１２の背もたれ１２Ｃを前方に押して、座席１２を前倒しにした際に、座席１２の後部に他のショッピングカートのフロントガードを挿入可能な空間が形成されるよう、支持フレーム５Ａ及び５Ｂの、取付金具２０Ａ及び２０Ｂが取り付けられる位置より後ろ側には、両支持フレーム５Ａ及び５Ｂに跨って存在するようなフレームが設けられていない。
【００３１】
フロントガード１３は、支持フレーム５Ａ及び５Ｂの前部に設けられ、座席部３の前部を画定する。なお、実施の形態１では、このフロントガード１３は、実際の自動車のフロント部を模倣した形状となっており、使用者（子供）の目を喜ばすと共に、使用者の脚部を保護する役割を果たしている。このフロントガード１３の両側には、飾りの前輪２１Ａ及び２１Ｂが配置されている。また、フロントガード１３には、飾りのハンドル２２が設けられている。
【００３２】
なお、実施の形態１では、この飾りの前輪２１Ａ及び２１Ｂ、及びハンドル２２は、ショッピングカート１の操作（操縦）には、関与しておらず、ショッピングカート１の操作は、ショッピングカート１のハンドル７を押しながら買い物を行う人（例えば、親等）が行うようになっている。
【００３３】
また、フロントガード１３に連続的に形成されたサイドガード１４Ａ及び１４Ｂも実際の自動車のフロント部を模倣した形状となっており、フロントガード１３と共に、座席部３の車内を画定する。そしてまた、座席部３の上部には、実際の自動車を模倣した飾りのフロントガラス２６や屋根２７が配設されている。
【００３４】
買物籠載置部４は、ショッピングカート本体２の垂直フレーム６Ａ及び６Ｂの上部から略水平に延びた２本のアーム２３Ａ及び２３Ｂと、垂直フレーム６Ａ及び６Ｂの略中央部から略水平に延びた２本のアーム２４Ａ及び２４Ｂとから構成されている。これらのアーム２３Ａ及び２３Ｂと、アーム２４Ａ及び２４Ｂは、特に図３に示すように、買物籠２５Ｃ及び２５Ｄを載置した際に、買物籠２５Ｃ及び２５Ｄの両方に商品を入れられるよう配置されている。
【００３５】
次に、実施の形態１に係るショッピングカート１の具体的動作について、図面を参照して説明する。
【００３６】
図６は、図１に示すショッピングカートを２台駐車させた状態を示す側面図、図７〜図９は、図１に示すショッピングカートを２台駐車させる過程を示す模式図である。
【００３７】
例えば、子供連れの客が買い物をする場合、この客は、図３に示すように、実施の形態１に係るショッピングカート１の買物籠載置部４に買物籠２５Ｃ（所望により、買物籠２５Ｄ、あるいは両方）を載置し、子供を座席１２に座らせる。この時、座席１２は、ショッピングカート１の前部に配置されており、また、フロントガード１３及びサイドガード１４Ａ及び１４Ｂによって車内比較的広くが画定されているため、子供が窮屈感を覚えることが殆どない。また、座席部３は、実際の自動車を模倣した形状に設計されているため、遊び感覚で楽しく過ごすことができる。さらにまた、このフロントガード１３及びサイドガード１４Ａ及び１４Ｂは、座席１２に着座した子供を保護する役割も果たすため、安心して買い物を楽しむことができる。また、買物籠２５Ｃ及び２５Ｄと、子供の位置とが従来のショッピングカートよりも離れた設計となっているため、買い物中に、買物籠２５Ｃ及び２５Ｄに収納された種々の商品からの液垂れ等により子供の洋服が汚れることも殆ど無い。
【００３８】
買い物が終了した際には、座席部３から子供を降ろし、所定の駐車場にショッピングカート１を戻す。この時、予め駐車されているショッピングカート１の後部に、使用後のショッピングカート１の前部、すなわちフロントガード１３を挿入する。この時、前述したように、フロントガード１３の幅は、ショッピングカート１の後部の幅より小さく構成されているため、フロントガード１３を、予め駐車されているショッピングカート１の後部に、スムーズに挿入することができる。この動作によって、図７に示すように、フロントガード１３の先端が、予め駐車されていたショッピングカート１の座席１２の背面に形成された凹部１７に接近する。さらにショッピングカート１を前方に進めると、図８に示すように、フロントガード１３の先端が予め駐車されていたショッピングカート１の凹部１７に当接する。さらにショッピングカート１を前方に進めると、図９に示すように、予め駐車されていたショッピングカート１の座席１２が、押し上げられて、凸部１６Ａ及び１６Ｂを支点として反時計方向（図９に示す矢印Ｘ方向）に回転し始める。ここで、凹部１７は、この回転を誘導可能な形状に形成されているため、座席１２はスムースに回転（前倒し）される。
【００３９】
さらにショッピングカート１を前方に進めると、図６に示すように、予め駐車されていたショッピングカート１の車止め３１に、フロントガード１３のバンパー３２が当接して停止する。この時、予め駐車されていたショッピングカート１の座席１２は、後ろから挿入したショッピングカート１のフロントガード１３に支持されて前倒し状態が維持される。
【００４０】
このようにして、予め駐車されていたショッピングカート１の座席１２の後部に、次のショッピングカート１のフロントガード１３を挿入するだけで、２台のショッピングカート１が簡単に「入れ子式」で駐車される。この時、２台のショッピングカート１は、図６に示すように、距離Ｌ分が重なった状態となるため、この分の駐車スペースを節約することができる。したがって、狭い駐車スペースであっても、複数のショッピングカート１を効率よく駐車させておくことができる。
【００４１】
一方、このように複数台が駐車された状態のショッピングカート列から、１台のショッピングカート１を使用する際には、この列の一番後ろに配置されているショッピングカート１を、単に抜き取ればよい。このショッピングカート１が抜き取られたことで、その一つ前に配置されていたショッピングカート１の座席１２は、抜き取られたショッピングカート１のフロントガード１３からの支持が得られなくなるため、凸部１６Ａ及び１６Ｂを支点として時計回り（図９に示す矢印Ｘ方向とは反対の方向）に回動し、図３に示すように元の位置に自ら戻る。この時、ストッパ１５Ａ及び１５Ｂが、垂直フレーム６Ａ及び６Ｂに当接すると共に、支持凸部８Ａ及び８Ｂに支持されるため、座席１２は、これ以上後ろに倒れることがなく安全である。また、ショッピングカート１を使用する際に、使用者がいちいち座席１２の位置を戻す必要がなく、便利である。
【００４２】
なお、実施の形態１では、座席部３が、実際の自動車を模倣した形状である場合について説明したが、これに限らず、電車、飛行機、オートバイ、船等の乗り物や、建物、動物、アニメーションやゲームのキャラクタ等、所望の物体の形状を任意に選択することができる。また、子供を対象とせず、例えば、老人や身体障害者等、大人を対象とする場合には、フロントガード１３の形状は、所望の物体の形状を模倣せず、シンプルな形状にしておいてもよい。
【００４３】
また、実施の形態１では、フロントカバー１３にサイドカバー１４Ａ及び１４Ｂを連続形成した場合について説明したが、これに限らず、サイドカバー１４Ａ及び１４Ｂは、フロントカバー１３と所定の間隔（例えば、子供が出入りするための隙間）をおいて独立した状態で形成してもよく、また、フロントカバー１３と、サイドカバー１４Ａ及び１４Ｂの高さを一部低くして、子供が出入りし易いように工夫してもよい。そしてまた、デザインによっては、サイドカバー１４Ａ及び１４Ｂを設けずに、フロントカバー１３のみを設けてもよい。
【００４４】
また、実施の形態１では、ショッピングカート１に、２つの前輪１０Ａ及び１０Ｂを設けた場合について説明したが、これに限らず、ショッピングカート１の前輪は、１つであってもよく、また、２つ以上あってもよい。また、飾りの前輪２１Ａ及び２１Ｂを、ショッピングカート１の前輪として使用してもよい。
【００４５】
また、実施の形態１に係るショッピングカート１には、これを押す人が操作可能なブレーキを設け、ショッピングカート１を所望の位置に静止させるようにしてもよい。
（実施の形態２）
次に、本発明の実施の形態２に係るショッピングカートについて図面を参照して説明する。
【００４６】
図１０は、実施の形態２に係るショッピングカートを示す側面図、図１１は、図１０に示すショッピングカートの平面図、図１２は、図１０に示すショッピングカートの座席部分を示す模式図、図１３は、図１０に示すショッピングカートを２台駐車させた状態を示す側面図である。
【００４７】
なお、実施の形態２では、実施の形態１と同様の部材には同一の符号を付し、その詳細な説明は省略する。
【００４８】
図１０〜図１３に示すように、実施の形態２に係るショッピングカート１０１と、実施の形態１に係るショッピングカート１との異なる点は、座席の移動の構成である。
【００４９】
実施の形態２に係るショッピングカート１０１の座席１１２は、底面１１１の四隅に車輪１１３Ａ〜１１３Ｄが設けられている。この車輪１１３Ａ〜１１３Ｄは、ショッピングカート本体２の床部に設置された、前後方向に伸びた互いに平行な２本のレール１１４Ａ及び１１４Ｂ上を回転可能となっており、座席１１２は、これによって、ショッピングカート１０１の前後方向に移動可能となっている。
【００５０】
また、座席１１２の前方の両端部には、下方に突出したバネ固定部１１５Ａ及び１１５Ｂが設けられており、このバネ固定部１１５Ａ及び１１５Ｂに、座席１１２を後方に付勢するスプリング（押しバネ）１１６Ａ及び１１６Ｂの一端がそれぞれ固定されている。一方、スプリング１１６Ａ及び１１６Ｂの他端は、ショッピングカート本体２の前方側壁に設けられたバネ固定部１１７Ａ及び１１７Ｂにそれぞれ固定されている。このように、スプリング１１６Ａ及び１１６Ｂは、使用者の邪魔にならない位置に配設されている。
【００５１】
この座席１１２は、通常の状態（他のショッピングカート１０１に後方から押されていない状態）では、スプリング１１６Ａ及び１１６Ｂの付勢力によって後方、すなわち、使用者が着座可能な位置（図１０及び図１１に示す位置）に確実に安定した状態でおかれている。
【００５２】
また、レール１１４Ａ及び１１４Ｂの前後両端には、車輪止め１１８Ａ〜１１８Ｄが各々設けられている。
【００５３】
次に、実施の形態２に係るショッピングカート１０１の具体的動作について説明する。
【００５４】
例えば、実施の形態１と同様に、子供をショッピングカート１０１の座席１１２に着座させて買い物を行う。この時、実施の形態１と同様の作用効果が得られることは勿論である。
【００５５】
買い物が終了した際には、座席部３から子供を降ろし、所定の駐車場にショッピングカート１０１を戻す。この時、予め駐車されているショッピングカート１０１の後部に、使用後のショッピングカート１０１の前部、すなわちフロントガード１３を挿入する。この動作によって、図１３に示すように、フロントガード１３の先端が、予め駐車されていたショッピングカート１０１の座席１１２の背面に接近する。さらにショッピングカート１０１を前方に進めると、フロントガード１３の先端が予め駐車されていたショッピングカート１０１の座席１１２の背面を前方に向けて押し、これによって車輪１１３Ａ〜１１３Ｄが回転し、座席１１２は、スプリング１１６Ａ及び１１６Ｂの付勢力に抗して前方に移動する。
【００５６】
さらにショッピングカート１０１を前方に進めると、予め駐車されていたショッピングカート１０１の車止め３１に、フロントガード１３のバンパー３２が当接して停止する。さらに、レール１１４Ａ及び１１４Ｂの前端に設けられた車輪止め１１８Ａ及び１１８Ｂによって、車輪１１３Ａ及び１１３Ｂが係止され、座席１１２はさらに確実に停止する。
【００５７】
この動作により、予め駐車されていたショッピングカート１０１の座席１１２は、後ろから挿入したショッピングカート１０１のフロントガード１３に支持されて前方に移動した状態が維持される。
【００５８】
このようにして、予め駐車されていたショッピングカート１０１の座席１１２の後部に、次のショッピングカート１０１のフロントガード１３を挿入するだけで、２台のショッピングカート１が簡単に「入れ子式」で駐車される。この時、２台のショッピングカート１０１は、図１３に示すように、距離Ｌ分が重なった状態となるため、この分の駐車スペースを節約することができる。したがって、狭い駐車スペースであっても、複数のショッピングカート１０１を効率よく駐車させておくことができる。
【００５９】
一方、このように複数台が駐車された状態のショッピングカート列から、１台のショッピングカート１０１を使用する際には、この列の一番後ろに配置されているショッピングカート１０１を、単に抜き取ればよい。このショッピングカート１０１が抜き取られたことで、その一つ前に配置されていたショッピングカート１０１の座席１１２は、抜き取られたショッピングカート１０１のフロントガード１３からの支持が得られなくなるため、スプリング１１６Ａ及び１１６Ｂの付勢力によって後方に押され、図１０に示すように元の位置に自ら戻る。この時、レール１１４Ａ及び１１４Ｂの後端に設けられた車輪止め１１８Ｃ及び１１８Ｄによって、車輪１１３Ｃ及び１１３Ｄが係止され、座席１１２は、この位置に確実に停止する。このように、ショッピングカート１０１を使用する際に、使用者がいちいち座席１１２の位置を戻す必要がなく、便利である。
【００６０】
なお、実施の形態２では、座席１１２を移動させる手段として、レール１１４Ａ及び１１４Ｂと、車輪１１３Ａ〜１１３Ｄとの組み合わせを使用したが、これに限らず、座席１１２は、例えば、レール上を滑るスライド式にする等、他の構成によって座席１１２を移動させてもよい。
【００６１】
また、実施の形態２では、座席１１２を後方に戻す手段としてスプリング１１６Ａ及び１１６Ｂの付勢力を利用した場合について説明したが、これに限らず、例えば、座席１１２と垂直フレーム６Ａ及び６Ｂとの間に、スプリング（引きバネ）設けたり、電磁石を利用する等、他の構成によって座席を元に戻してもよい。
【００６２】
【発明の効果】
以上説明したように、本発明に係るショッピングカートは、座席部が前部に配置され、買物籠載置部が後部に配置されているため、座席に着座する人が占有可能な空間を広く取ることができる。また、前倒した座席あるいは前方に移動させた座席の後部に、他のショッピングカートのフロントガードを挿入可能な空間が形成されるため、ショッピングカートの後部から、この空間に他のショッピングカートのフロントガードを挿入した状態でショッピングカートを駐車させておくことができる。この結果、座席に着座する人に窮屈感を覚えることが殆どなく、快適に着座できると共に、駐車スペースを必要最低限に抑えることが可能なショッピングカートを提供することができる。
【図面の簡単な説明】
【図１】本発明の実施の形態１に係るショッピングカートの側面図である。
【図２】図１に示すショッピングカートの平面図である。
【図３】図１に示すショッピングカートに買物籠を載置した状態を示す側面図である。
【図４】図１に示すショッピングカートの座席部の一部を示す分解組立部である。
【図５】図１に示すショッピングカートの一部を示す斜視図である。
【図６】図１に示すショッピングカートを２台駐車させた状態を示す側面図である。
【図７】図１に示すショッピングカートを２台駐車させる過程を示す模式図である。
【図８】図１に示すショッピングカートを２台駐車させる過程を示す模式図である。
【図９】図１に示すショッピングカートを２台駐車させる過程を示す模式図である。
【図１０】本発明の実施の形態２に係るショッピングカートを示す側面図である。
【図１１】図１０に示すショッピングカートの平面図である。
【図１２】図１０に示すショッピングカートの座席部分を示す模式図である。
【図１３】図１０に示すショッピングカートを２台駐車させた状態を示す側面図である。
【符号の説明】
１、１０１    ショッピングカート
２    ショッピングカート本体
３    座席部
４    買物籠載置部
１２、１１２    座席
１３    フロントガード
【図１】
0004170568.tif 000002
【図２】
0004170568.tif 000003
【図３】
0004170568.tif 000004
【図４】
0004170568.tif 000005
【図５】
0004170568.tif 000006
【図６】
0004170568.tif 000007
【図７】
0004170568.tif 000008
【図８】
0004170568.tif 000009
【図９】
0004170568.tif 000010
【図１０】
0004170568.tif 000011
【図１１】
0004170568.tif 000012
【図１２】
0004170568.tif 000013
【図１３】
0004170568.tif 000014